(57)【要約】【課題】  ディスクチェンジャに収納されていないディスクに対してもメディア閲覧システムにおけるサーバ管理下での再生および閲覧を可能にする。【解決手段】  複数のディスクが収納され、選択されたディスクの情報を再生可能なディスクチェンジャ5と、ディスクチェンジャ5に対して閲覧要求可能な閲覧端末1と、閲覧端末1から閲覧要求があったディスクを再生させ、閲覧端末1へ再生された情報を提供するようにディスクチェンジャ5に対して命令する管理手段（サーバ2、管理端末3）とが、ネットワーク4で接続され、サーバ2はディスクチェンジャ5に収納されたディスクの情報とともに、収納されていない外部ディスクの情報をも含むデータベースを備え、閲覧端末1によって外部ディスクが選択されたとき、外部ディスクがディスクチェンジャ5に収納されていないことをサーバ2が確認した場合、外部ディスクの閲覧要求が管理端末3に通知される。【選択図】    図１
2005071519.tif 000002
【特許請求の範囲】
【請求項１】
情報が記録された複数のメディアが収納され、選択されたメディアの情報を再生可能なメディアチェンジャと、
選択したメディアを前記メディアチェンジャに対して閲覧要求可能な閲覧端末と、
前記閲覧端末から閲覧要求があったメディアを再生させ、前記閲覧端末へ再生された情報を提供するようにメディアチェンジャに対して命令する管理手段と、がネットワーク接続されたメディア閲覧システムであって、
前記管理手段は、前記メディアチェンジャに収納されたメディアの情報とともに、収納されていない外部メディアの情報をも含むデータベースを備え、
前記閲覧端末によって前記外部メディアが選択されたとき、前記外部メディアが前記メディアチェンジャに収納されていないことを前記管理手段が前記データベースを参照して確認した場合、前記外部メディアの閲覧要求が前記管理手段に通知されることを特徴とするメディア閲覧システム。
【請求項２】
前記メディアチェンジャは、前記管理手段に通知された外部メディアの閲覧要求に基づき挿入された外部メディアを一時的に収納可能な一時収納領域を有することを特徴とする請求項１に記載のメディア閲覧システム。
【請求項３】
前記一時収納領域は、複数の外部ディスクが収納できるように設けられていることを特徴とする請求項２に記載のメディア閲覧システム。
【請求項４】
前記閲覧端末によって選択された外部メディアが、既に前記一時収納領域に収納されている場合、前記管理手段に通知されずに、直ちにメディアを再生させることを特徴とする請求項３に記載のメディア閲覧システム。
【請求項５】
前記管理手段に接続された印刷手段を有し、前記外部メディアの閲覧要求の通知が、前記印刷手段により印刷出力されることを特徴とする請求項１〜４のいずれかに記載のメディア閲覧システム。
【請求項６】
前記管理手段は警報を発する警報装置を有し、前記外部メディアの閲覧要求の通知が、前記警報装置によりなされることを特徴とする請求項１〜５のいずれかに記載のメディア閲覧システム。
【請求項７】
前記管理手段は表示部を有し、前記外部メディアの閲覧要求の通知が、前記表示部に表示されることを特徴とする請求項１〜６のいずれかに記載のメディア閲覧システム。
【請求項８】
閲覧要求された前記外部メディアの前記メディアチェンジャへの収納を一時的に拒否する手段を有することを特徴とする請求項１〜７のいずれかに記載のメディア閲覧システム。
【請求項９】
前記メディアチェンジャに前記外部メディアの収納が所定時間以内になされない場合は、前記管理手段からの閲覧要求がキャンセルされることを特徴とする請求項１〜８のいずれかに記載のメディア閲覧システム。
【請求項１０】
情報が記録された複数のメディアが収納され、選択されたメディアの情報を再生可能なメディアチェンジャと、選択したメディアを前記メディアチェンジャに対して閲覧要求可能な閲覧端末と、前記閲覧端末から閲覧要求があったメディアを再生させ、前記閲覧端末へ再生された情報を提供するようにメディアチェンジャに対して命令する管理手段と、がネットワーク接続された環境におけるメディア閲覧方法であって、
前記閲覧端末で選択された外部メディアを前記管理手段に対して閲覧要求をするステップと、
閲覧要求があったメディアがメディアチェンジャに収納されていない場合に、前記管理手段が外部メディアの閲覧要求をデータベースに書き込むステップと、
前記管理手段が前記データベースを参照して外部メディアの閲覧要求通知を出力するステップと、
前記閲覧要求通知にもとづいてメディアチェンジャに一時収納された外部メディアを前記管理手段の管理下で再生し、前記閲覧端末へ提供するステップと、を含むことを特徴とするメディア閲覧方法。
【請求項１１】
情報が記録された複数のメディアが収納され、選択されたメディアの情報を再生可能なメディアチェンジャと、選択したメディアを前記メディアチェンジャに対して閲覧要求可能な閲覧端末と、前記閲覧端末から閲覧要求があったメディアを再生させ、前記閲覧端末へ再生された情報を提供するようにメディアチェンジャに対して命令する管理手段と、がネットワーク接続された環境において、
コンピュータに、
前記閲覧端末で選択された外部メディアを前記管理手段に対して閲覧要求をする機能と、
閲覧要求があったメディアが前記メディアチェンジャに収納されていない場合に、前記管理手段が外部メディアの閲覧要求を前記データベースに書き込む機能と、
前記管理端末が前記データベースを参照して外部メディアの閲覧要求通知を出力する機能と、
前記閲覧要求通知にもとづいて前記メディアチェンジャに一時収納された外部メディアを前記管理手段の管理下で再生し、前記閲覧端末へ提供する機能と、を実現させることを特徴とするメディア閲覧プログラム。
【請求項１２】
請求項１１に記載のメディア閲覧プログラムが記録されたことを特徴とする記録媒体。
【発明の詳細な説明】
【技術分野】
【０００１】
本発明は、メディアチェンジャに用意されていない外部メディアを管理し、閲覧端末で閲覧可能にするメディア閲覧システム、メディア閲覧プログラムおよび記録媒体に関する。
【背景技術】
【０００２】
従来から、図書館、美術館、博物館等の公共施設には映像情報や音声情報を記録したＤＶＤ−Ｖｉｄｅｏディスク、音楽ＣＤ、ビデオＣＤ、ＣＤ−ＲＯＭ、ＤＶＤ−ＲＯＭ等のディスク、あるいはテープ等のメディア（媒体）を閲覧可能なメディア閲覧システムが設置されている。このようなメディア閲覧システムでは多数のディスクの中から選択した１つを再生して閲覧可能とするため、複数のディスクの管理、操作が可能なディスクチェンジャが用いられている（例えば、特許文献１参照）。
【０００３】
このディスクチェンジャは、複数のディスクをストッカ内に格納し、これらの格納された複数枚のディスクの中から特定のディスクを選択して再生可能とするものである。また、各ディスクのディスクチェンジャへの登録により、ディスクチェンジャに収納されているディスクのみを対象として情報の管理運用が図られている。
【特許文献１】特開２００２−２４５７０５号公報
【発明の開示】
【発明が解決しようとする課題】
【０００４】
しかしながら、従来のメディア（以下、代表してディスクについて説明する）閲覧システムは、ディスクチェンジャに収納されているディスクの情報のみの管理運用を可能としているため、新たにディスクを追加しようとする場合にディスクチェンジャの収納枚数を超えることとなり、別にディスクチェンジャの増設が必要となっていた。
また、ディスクチェンジャの増設を行わない場合には、追加しようとするディスクの枚数分、利用頻度の低いディスクをディスクチェンジャから取り出して、システムの管理外としなければならないという問題があった。
【０００５】
本発明が解決しようとする課題としては、ディスクチェンジャに収納されていないディスクは、メディア閲覧システムにおけるサーバ管理下での再生および閲覧が不可能であるという問題の解決が、その一例として挙げられる。
【課題を解決するための手段】
【０００６】
請求項１に記載のメディア閲覧システムは、情報が記録された複数のメディアが収納され、選択されたメディアの情報を再生可能なメディアチェンジャと、選択したメディアを前記メディアチェンジャに対して閲覧要求可能な閲覧端末と、前記閲覧端末から閲覧要求があったメディアを再生させ、前記閲覧端末へ再生された情報を提供するようにメディアチェンジャに対して命令する管理手段と、がネットワーク接続されたメディア閲覧システムであって、前記管理手段は、前記メディアチェンジャに収納されたメディアの情報とともに、収納されていない外部メディアの情報をも含むデータベースを備え、前記閲覧端末によって前記外部メディアが選択されたとき、前記外部メディアが前記メディアチェンジャに収納されていないことを前記管理手段が前記データベースを参照して確認した場合、前記外部メディアの閲覧要求が前記管理手段に通知されることを特徴とするメディア閲覧システム。
【０００７】
請求項１０に記載のメディア閲覧方法は、情報が記録された複数のメディアが収納され、選択されたメディアの情報を再生可能なメディアチェンジャと、選択したメディアを前記メディアチェンジャに対して閲覧要求可能な閲覧端末と、前記閲覧端末から閲覧要求があったメディアを再生させ、前記閲覧端末へ再生された情報を提供するようにメディアチェンジャに対して命令する管理手段と、がネットワーク接続された環境におけるメディア閲覧方法であって、前記閲覧端末で選択された外部メディアを前記管理手段に対して閲覧要求をするステップと、閲覧要求があったメディアがメディアチェンジャに収納されていない場合に、前記管理手段が外部メディアの閲覧要求をデータベースに書き込むステップと、前記管理手段が前記データベースを参照して外部メディアの閲覧要求通知を出力するステップと、前記閲覧要求通知にもとづいてメディアチェンジャに一時収納された外部メディアを前記管理手段の管理下で再生し、前記閲覧端末へ提供するステップと、を含むことを特徴とする。
【０００８】
請求項１１に記載のメディア閲覧プログラムは、情報が記録された複数のメディアが収納され、選択されたメディアの情報を再生可能なメディアチェンジャと、選択したメディアを前記メディアチェンジャに対して閲覧要求可能な閲覧端末と、前記閲覧端末から閲覧要求があったメディアを再生させ、前記閲覧端末へ再生された情報を提供するようにメディアチェンジャに対して命令する管理手段と、がネットワーク接続された環境において、コンピュータに、前記閲覧端末で選択された外部メディアを前記管理手段に対して閲覧要求をする機能と、閲覧要求があったメディアが前記メディアチェンジャに収納されていない場合に、前記管理手段が外部メディアの閲覧要求を前記データベースに書き込む機能と、前記管理端末が前記データベースを参照して外部メディアの閲覧要求通知を出力する機能と、前記閲覧要求通知にもとづいて前記メディアチェンジャに一時収納された外部メディアを前記管理手段の管理下で再生し、前記閲覧端末へ提供する機能と、を実現させることを特徴とする。
【０００９】
請求項１２に記載の記録媒体は、請求項１１に記載のメディア閲覧プログラムが記録されたことを特徴とする。
【発明を実施するための最良の形態】
【００１０】
以下、本発明に係る実施の形態について図面を参照して説明する。
図１は、本発明に係る実施の形態のメディア閲覧システムを示す構成図である。図２は図１に示すディスクチェンジャの内部構成を概念的に示す斜視図である。
ここでは、閲覧対象のメディアがＤＶＤ−Ｖｉｄｅｏディスク、音楽ＣＤ、ビデオＣＤ、ＣＤ−ＲＯＭ、ＤＶＤ−ＲＯＭ等のディスク等のディスクである場合について説明する。
【００１１】
メディア閲覧システム１００は、閲覧端末１（この閲覧端末１は、例えば複数のブースにそれそれ１台ずつ設けられている）、管理手段を構成するサーバ２および管理端末３がネットワーク４を介してそれぞれ接続されている。
サーバ２は、閲覧対象のメディア（ディスク）が収納されたディスクチェンジャ５の制御部７（図２参照）と接続（例えばＳＣＳＩ接続）されている。また、ディスクチェンジャ５内に設けられたディスクドライブ装置８（図２参照）の複数のディスクドライブと各ブースに設けられた閲覧端末１とが、それぞれ接続（例えばＳＣＳＩ接続）されている。
【００１２】
ディスクチェンジャ５は、情報が記録された複数のディスクをストッカ６に格納し、選択されたディスクをディスクドライブ装置８に搬送して情報の再生を行うものである。
閲覧端末１では、利用者がメニュー画面で所望のディスクを選択することにより、選択されたディスクの閲覧要求をサーバ２に対して行い、この閲覧要求を受けて選択された所望のディスクの再生がディスクチェンジャ５内のディスクドライブ装置８により行われ、この再生された情報を閲覧端末１の画面上で利用者が閲覧することができる。
【００１３】
サーバ２は、閲覧端末１から閲覧要求があったディスクを一時収納領域に搬送して再生させ、閲覧端末１へ再生された情報を提供するように、ディスクチェンジャ５に対して命令する。また、このサーバ２は、外部に保存されて閲覧に供される外部ディスクの有無情報および外部ディスクを特定する情報をデータベース（ＤＢ）に格納している。
【００１４】
管理端末３は、ネットワーク４を介してサーバ２および閲覧端末１に接続されており、閲覧端末１で利用者が選択したディスクがディスクチェンジャ５に用意されていないことを、サーバ２がデータベースを参照して確認した場合、外部ディスクの閲覧要求が管理端末３の表示部の画面上に通知される。
【００１５】
また、管理端末３には、印刷手段としてレシートプリンタ１１が接続されている。このレシートプリンタ１１は閲覧端末１から外部ディスクの要求があったとき、ディスク要求通知を印刷して管理者に提供可能にする。このように、印刷された通知（配置指示書）があれば、管理端末３と外部ディスクの保管場所が離れている場合に、この配置指示書を見ながら確実に外部ディスクを探すことができ、あるいは、管理者以外の人でもこの配置指示書をもとに外部ディスクを探しに行くことができ、管理者が管理端末３を離れなくても済む。
なお、管理端末３は、レシートプリンタ１１に代えて、またはレシートプリンタ１１とともに、ベル音や音声などの音や、表示（通常の文字表示よりも分かり易い点滅表示などがよい）による警報を発する警報装置等を備えることもできる。これにより、管理者が管理端末３を離れているなどの場合でも、警報により、外部ディスクの閲覧要求があったことがわかる。
また、サーバ２および管理端末３は、一体に構成されていてもよい。
【００１６】
図２に示すように、ディスクチェンジャ５は、ディスクを収納するストッカ６、制御部７、ディスクドライブ装置８、ディスク挿入口９を備えている。
ストッカ６には、内部ディスクが収納された内部ディスク収納領域６１と、外部ディスクを一時的に収納する一時収納領域６２とが設けられている。
内部ディスクは、予め内部ディスク収納領域６１の所定位置に収納され、その位置情報とディスクのタイトル等の情報とがサーバ２内のデータベースに記憶され管理される。
外部ディスクは、通常、ディスクチェンジャ５の外部に保管されており、閲覧端末１からの要求に応じて、管理者がディスク挿入口９から要求された所定の外部ディスクを挿入することにより、図示しないディスク搬送機構などにより一時収納領域６２へ搬送される。なお、一時収納領域６２は、複数の外部ディスクが収納できるように設けられていることが好ましい。これにより、複数の閲覧端末１から同時に閲覧要求があった場合にも対応できる。
【００１７】
制御部７は、ディスクの搬送等の制御、ディスクドライブ装置８へのディスクのマウントや駆動制御などディスクチェンジャ５の動作全体を制御する。
ディスクドライブ装置８は、例えば、閲覧端末１の数に対応する同じ数のディスクドライブが設けられ、ストッカ６内から搬送されてマウントされたディスクの情報再生を行う。
【００１８】
次に、図３のフローチャートを参照して、外部ディスクの閲覧要求処理から再生処理までの手順を説明する。図３において、３１は、外部ディスクの閲覧要求がなされてから外部ディスクがディスクチェンジャ５に収納され、収納確認がなされるまでの手順を示し、３２は、外部ディスクの収納確認なされてから、要求したディスクの閲覧が可能となるまでの手順を示すものである。
【００１９】
まず、閲覧端末１で利用者が画面のメニュー上で所望のディスクを選択する。このとき、利用者によって選択されたディスクが、常時メディアチェンジャに収納されていない外部ディスクである場合、ディスクの準備に時間がかかる旨、閲覧端末１の画面上でコメントされ、外部ディスクの閲覧要求をサーバ２に対して行う（ステップＳ１）。
【００２０】
サーバ２は、閲覧要求された外部ディスクがディスクチェンジャ５の一時収納領域６２に収納されているか否かを調べる（ステップＳ２）。
閲覧要求されたディスクが一時収納領域６２に未収納である場合には、データベースに外部ディスクの閲覧要求が書き込まれる（ステップＳ３）。
【００２１】
管理端末３は、前記データベースを常時監視しており、データベースに外部ディスクの閲覧要求が書き込まれると、外部ディスクの閲覧要求がある旨をその表示部に表示し、警報装置が警報音を発する（ステップＳ４）。また、レシートプリンタ１１が外部ディスク要求通知のレシートプリンタ印刷を行う（ステップＳ５）。これらのステップＳ４、Ｓ５によって管理者は、外部ディスクの閲覧要求の通知を受け取ることができる。
【００２２】
一方、閲覧端末１では、ディスク収納待機画面が表示される（ステップＳ６）。
待機時間がタイムアウトとなった場合、または閲覧要求がキャンセルとなった場合には（ステップＳ７）、サーバ２は閲覧要求がキャンセルとなった旨をデータベースのログファイルに書き込む（ステップＳ８）。
【００２３】
一方、管理者は、閲覧要求があった所定の外部ディスクをディスクチェンジャ５のディスク挿入口９から挿入する。図示しないディスク搬送機構などより、ストッカ６の一時収納領域６２にこの外部ディスクが収納される。収納された外部ディスクの（ストッカ６内の）位置情報と外部ディスクのタイトル情報等とが、サーバ２のディスク収納状態を表示する収納ページにログが書き込まれ、表示される（ステップＳ９）。
【００２４】
そして、サーバ２は、データベースに収納処理終了を書き込む（ステップＳ１０）。管理端末３は、前述のようにデータベースを常時監視をしているので、この収納処理終了がデータベースに書き込まれると、外部ディスクの閲覧要求の状態を遷移させる（ステップＳ１１）。このとき、外部ディスクの閲覧要求の表示や警報が手動で停止されていなければ自動的に停止される。
【００２５】
また、ステップＳ２で、ストッカ６の一時収納領域６２に外部ディスクが既に収納済みであると判定した場合には、外部ディスクの返却キャンセルのログ表示を行って上で（ステップＳ１２）、収納処理終了をデータベースに書き込む（ステップＳ１０）。
【００２６】
さらに、ステップＳ７で待機時間が未だタイムアウトとならず、閲覧要求がキャンセルされないで、外部ディスクの収納が確認された場合には、３２の処理に移行する。
【００２７】
閲覧端末１は、ディスクチェンジャ５のディスクドライブ装置８へのディスクマウント要求を行う（ステップＳ１３）。同時に、待機画面が表示される。
【００２８】
サーバ２は、閲覧端末１からのディスクマウント要求を処理し、サーバ２側の管理プログラム（ＳＶＡＰ）にコマンドを送信する（ステップＳ１４）。
サーバ２側の管理プログラム（ＳＶＡＰ）は、ディスクマウントのチェックコマンドを閲覧端末１側の管理プログラム（ＣＬＡＰ）に送信し、データベースにディスクマウントの完了を書き込む（ステップＳ１５）。
閲覧端末１側の管理プログラム（ＣＬＡＰ）は、ディスクマウントのチェックコマンドを受信し（ステップＳ１６）、ディスクマウント完了の確認を行った上で（ステップＳ１７）、通常の再生画面に遷移し、要求したディスクの閲覧が可能となる（ステップＳ１８）。
【００２９】
なお、上述の処理フローでは、閲覧端末１からの閲覧要求が外部ディスクになされた場合であるが、ディスクチェンジャ５の内部ディスク収納領域６１に収納されている内部ディスクに対して閲覧要求がなされた場合は、図３の３１のフローを経ずに、図３の３２に示す手順と同様の手順で処理する（管理手段に通知されずに、直ちにメディアを再生させる）ことができる。
また、既に閲覧済みの外部ディスクが、返却されずに一時収納領域６２に収納された状態となっているときに、再びこの外部ディスクに対し閲覧要求があった場合、上記の内部ディスクに対して閲覧要求がなされた場合と同様に、図３の３１のフローを経ずに、図３の３２に示す手順と同様の手順で処理する（管理手段に通知されずに、直ちにメディアを再生させる）ことができる。
【００３０】
次に、本実施の形態に係るメディア閲覧システムを適用した一具体例を挙げ、以下詳細に説明する。以下の具体例は、例えば図書館、美術館、博物館等において、来館した利用者が閲覧端末１のあるブース（ＢＯＯＴＨ０１）で、館内に収蔵しているＤＶＤ、ＣＤ等のディスク（メディア）を視聴（閲覧）する一例である。
【００３１】
館内に収蔵しているＤＶＤ、ＣＤ等のディスクのうち、ディスクチェンジャ５に収納しきれない外部ディスクは、館内の書棚等に保管されているが、この外部ディスクのタイトル等の情報はサーバ２に登録され、閲覧端末１にこの情報の表示が可能である。
したがって、閲覧端末１から外部ディスクの視聴リクエストがあると、管理者等がディスクチェンジャ５の一時収納領域６２に外部ディスクを収納することで、視聴が可能となる。
【００３２】
まず、（ＢＯＯＴＨ０１の）利用者が所望のディスクを選択すると、閲覧端末１の画面上にタイトル情報が表示される。このタイトル情報には、例えば映画の場合には、題名、監督、原作者、出演者などの情報が表示される。そして、このディスクが外部ディスクである場合は、図４に示すように、「このディスクは、準備に時間がかかります。」という注意文が表示される（前述のステップＳ１参照）。
【００３３】
また、サーバ２および管理端末３に、図５に示すような「配置要求メッセージ」が表示され、警報音が鳴る。同時にレシートプリンタ１１から、図６に示すような配置指示書が印字出力される（前述のステップＳ５参照）。
【００３４】
そして、外部ディスクの一時収納がなされないで配置指示書に記載されたタイムアウト時刻になると、閲覧端末１に図７に示すような「タイムアウト」表示が行われる。タイムアウト時刻を過ぎると閲覧要求はキャンセルされる。
【００３５】
次に、管理者がディスクチェンジャ５に外部ディスクを一時収納する手順を説明する。  管理者は、図６に示すような配置指示書にしたがって、サーバ２の「配置要求メッセージ」（図５参照）をクリックして、図８に示すような「外部ディスク一時収納」ページを表示する。この「外部ディスク一時収納」ページには、現在各ブースから要求された外部ディスクの一覧が表示されており（この例では、ＢＯＯＴＨ０１のみ）、この一覧表示から配置指示書のディスクを探してクリックする。
【００３６】
これにより、図９に示すような確認のメッセージが表示される。ここで、図１０に示すような確認「ＯＫ」ボタンをクリックすると、図１１に示すように、ディスク名と収納の指示が表示される。そして、ディスクの収納が完了すると、サーバ２に図１２に示すような完了メッセージが表示される。
【００３７】
なお、要求された外部ディスクが使用中や貸し出し中や閲覧禁止指定されているなどの何らかの理由で利用できないときには、管理者は一時収納を拒否することができる。
このように、一時収納を拒否する場合には、図５に示したものと同様のサーバ２の「配置要求メッセージ」をクリックして、図８と同様の「外部ディスク一時収納」ページを表示し、一覧表示の「拒否」をクリックする。
すると、図１３に示すような確認のメッセージが表示されるので、「ＯＫ」ボタンをクリックする。この結果、閲覧端末１には、図１４に示すような「只今、このディスクは利用できません」のメッセージが表示される。
【００３８】
次に、一時収納した外部ディスクを取り出す場合を説明する。
外部ディスクの資料の再生が終了すると、サーバ２と管理端末３の両方に図１５に示すような「返却要求メッセージ」が表示される。
そこで、このサーバ２の返却要求メッセージをクリックすると、図１６に示すような「外部ディスク一時取り出し」ページが表示される。この「外部ディスク一時取り出し」ページには、ディスクチェンジャ５の一時収納領域６２に収納されているディスクの一覧が表示される。
【００３９】
ここで、図１７に示すように一覧表示から取り出すディスクを探してクリックすると、図１８に示すような確認メッセージが表示される。「ＯＫ」ボタンをクリックすると、図１９に示すようなトレイ操作のメッセージが表示される。こうしてディスクの取り出しが完了すると、図２０に示すような完了メッセージが表示される。
【００４０】
上述のように、外部ディスクの配置要求に対応するためには、管理者が常時、管理端末３の近くに居る必要がある。
しかしながら、管理者が管理端末３を離れるなど、配置要求に対応できない状況が発生する場合があり、このような場合においては、一時的に外部ディスクの管理機能を停止する必要がある。
【００４１】
このように、一時的に外部ディスクの管理機能を停止する場合には、図２１に示すような「ブース使用状況」ページを開き、このページの下部にある「外部ディスク管理機能有効」の「使用中」ボタン（図２２に示す部分）をクリックする。すると、図２３に示すような確認のページが表示されるので、「ＯＫ」ボタンをクリックする。これにより、上記「外部ディスク管理機能有効」は、図２４に示すように「一時停止中」となる。
【００４２】
一方、外部ディスク管理機能を再開するには、図２１で示した「ブース使用状況」のページを再び開く、このとき、ページの下部には図２４で示したように「一時停止中」と表示されているので、これをクリックする。すると、図２５に示すような、外部ディスク管理使用（再開）確認のページが表示されるので、「ＯＫ」ボタンをクリックすればよい。これにより、図２２に示すように「外部ディスク管理機能有効」は「使用中」に戻る。
【００４３】
以上のようにして、図書館、美術館、博物館等において、来館した利用者が選択した資料の外部ディスクがディスクチェンジャに収納されていないときにも、その資料の再生（閲覧）が可能になる。
【００４４】
なお、前述の実施の形態では、本発明に係るメディア閲覧システム、メディア閲覧プログラムおよび記録媒体が映像情報や音声情報を記録したＤＶＤ−Ｖｉｄｅｏディスク、音楽ＣＤ、ビデオＣＤ、ＣＤ−ＲＯＭ、ＤＶＤ−ＲＯＭ等のディスクによるメディア閲覧システムに適用された例について述べたが、例えばメディアとしてホットスワップ可能（交換可能）なＨＤＤやテープ等の他のメディアを用いたメディア閲覧システムにも適用可能である。
【００４５】
以上詳述したように、本発明の実施の形態によれば、情報が記録された複数のディスク（メディア）が収納され、選択されたディスクの情報を再生可能なディスク（メディア）チェンジャ５と、選択したディスクをディスクチェンジャ５に対して閲覧要求可能な閲覧端末１と、閲覧端末１から閲覧要求があったディスクを再生させ、閲覧端末１へ再生された情報を提供するようにディスクチェンジャ５に対して命令する管理手段（サーバ２、管理端末３）とが、ネットワーク４で接続され、サーバ２はディスクチェンジャ５に収納されたディスクの情報とともに、収納されていない外部ディスクの情報をも含むデータベースを備え、閲覧端末１によって外部ディスクが選択されたとき、外部ディスクがディスクチェンジャ５に収納されていないことをサーバ２がデータベースを参照して確認した場合、外部ディスクの閲覧要求が管理端末３に通知される。
【００４６】
これにより、ディスク（メディア）チェンジャ５に収納されていない外部ディスク（メディア）に対しての閲覧要求があった場合にも、管理端末３に閲覧要求が通知されるので、この通知を管理者が受け取ることによって、管理者がディスクチェンジャ５の一時収納領域に閲覧要求があった外部ディスクを挿入することで、この外部ディスクをサーバ２の管理下で再生し、その再生情報を閲覧端末に提供し、利用者が閲覧（視聴）することができる。したがって、ディスクチェンジャ５の収容枚数を超える多数のディスクが存在するような場合でも、この収容枚数を超えるディスクを全てデータベースで管理して、容易に、閲覧端末での閲覧（視聴）に供することができる。
【図面の簡単な説明】
【００４７】
【図１】本発明に係る実施の形態のメディア閲覧システムを示す構成図である。
【図２】図１におけるディスクチェンジャの内部構成を概念的に示す斜視図である。
【図３】本発明に係る実施の形態における外部リクエストの要求からディスク再生までの手順を示すフローチャートである。
【図４】本発明に係る実施の形態の外部ディスク選択時のタイトル表示画面を示す説明図である。
【図５】本発明に係る実施の形態の外部ディスクの一時収納時の配置要求メッセージ画面を示す説明図である。
【図６】本発明に係る実施の形態の外部ディスクの一時収納時の印刷配置指示書を示す説明図である。
【図７】本発明に係る実施の形態の外部ディスクの一時収納時のタイムアウト画面を示す説明図である。
【図８】本発明に係る実施の形態の外部ディスクの一時収納時の一覧表示画面を示す説明図である。
【図９】本発明に係る実施の形態の外部ディスクの一時収納時のディスク選択時の画面を示す説明図である。
【図１０】本発明に係る実施の形態の外部ディスクの一時収納確認画面を示す説明図である。
【図１１】本発明に係る実施の形態の外部ディスクの一時収納時のディスク収納指示画面を示す説明図である。
【図１２】本発明に係る実施の形態の外部ディスクの一時収納時のディスク収納完了メッセージ画面を示す説明図である。
【図１３】本発明に係る実施の形態の外部ディスクの一時収納拒否時の確認メッセージ画面を示す説明図である。
【図１４】本発明に係る実施の形態の外部ディスクの取り出し時の拒否通知画面を示す説明図である。
【図１５】本発明に係る実施の形態の外部ディスクの取り出し時の返却要求メッセージ画面を示す説明図である。
【図１６】本発明に係る実施の形態の外部ディスクの取り出し時の一覧表示画面を示す説明図である。
【図１７】本発明に係る実施の形態の外部ディスクの取り出し時のディスク選択時の画面を示す説明図である。
【図１８】本発明に係る実施の形態の外部ディスクの取り出し確認画面を示す説明図である。
【図１９】本発明に係る実施の形態の外部ディスクの取り出し表示画面を示す説明図である。
【図２０】本発明に係る実施の形態の外部ディスクの取り出し完了画面を示す説明図である。
【図２１】本発明に係る実施の形態の外部ディスクのブース使用状況ページの表示画面を示す説明図である。
【図２２】本発明に係る実施の形態の外部ディスクの管理機能有効画面を示す説明図である。
【図２３】本発明に係る実施の形態の外部ディスクの管理機能一時停止メッセージ画面を示す説明図である。
【図２４】本発明に係る実施の形態の外部ディスクの管理機能無効画面を示す説明図である。
【図２５】本発明に係る実施の形態の外部ディスクの管理機能使用メッセージ画面を示す説明図である。
【符号の説明】
【００４８】
１  閲覧端末
２  サーバ（管理手段）
３  管理端末（管理手段）
４  ネットワーク
５  ディスク（メディア）チェンジャ
６  ストッカ
６１  内部ディスク収納領域
６２  一時収納領域
７  制御部
８  ディスクドライブ装置
９  ディスク挿入口
１１  レシートプリンタ
１００  メディア閲覧システム
【図１】
2005071519.tif 000003
【図２】
2005071519.tif 000004
【図３】
2005071519.tif 000005
【図４】
2005071519.tif 000006
【図５】
2005071519.tif 000007
【図６】
2005071519.tif 000008
【図７】
2005071519.tif 000009
【図８】
2005071519.tif 000010
【図９】
2005071519.tif 000011
【図１０】
2005071519.tif 000012
【図１１】
2005071519.tif 000013
【図１２】
2005071519.tif 000014
【図１３】
2005071519.tif 000015
【図１４】
2005071519.tif 000016
【図１５】
2005071519.tif 000017
【図１６】
2005071519.tif 000018
【図１７】
2005071519.tif 000019
【図１８】
2005071519.tif 000020
【図１９】
2005071519.tif 000021
【図２０】
2005071519.tif 000022
【図２１】
2005071519.tif 000023
【図２２】
2005071519.tif 000024
【図２３】
2005071519.tif 000025
【図２４】
2005071519.tif 000026
【図２５】
2005071519.tif 000027